(57)【要約】【課題】気液熱交換器を有する燃焼装置において、結露水の落下によるフレームロッドの火炎誤検知が発生するのを防止すること。【解決手段】フレームロッド８の保持用の碍子９の上部に、結露水よけの庇１０を設ける。庇１０により結露水が碍子９に当たらないようにする。【選択図】図１
2007170709.tif 000002
【特許請求の範囲】
【請求項１】
バーナーと、前記バーナーの火炎により加熱され、水等の液体と熱交換するフィン付パイプ及び前記フィン付パイプを保持するドラム部を有する熱交換器と、前記バーナーの炎孔上方にあって、前記火炎の電気整流特性により火炎を検知するフレームロッドと、前記フレームロッドの端部を保持した耐熱電気絶縁性の支持体とを備え、前記支持体の上方に結露水を避ける結露水除去手段を設けてなる燃焼装置。
【請求項２】
バーナー及び前記バーナーを設けた内ケースを有するバーナーユニットと、前記バーナーの炎孔部を除き前記バーナーユニットの周囲を囲む外ケースと、前記バーナーの火炎により加熱され、水等の液体と熱交換するフィン付パイプ及び前記フィン付パイプを保持するドラム部を有する熱交換器と、外ケースから前記バーナーの炎孔の上方に向けられ、前記火炎の電気整流特性により火炎を検知するフレームロッドと、前記フレームロッドの端部を保持し、前記外ケースに固定した耐熱電気絶縁性の支持体とを備え、前記支持体の上方に結露水を避ける庇を設けてなる燃焼装置。
【請求項３】
前記結露水よけの庇は、内ケースより折り曲げられた構成にした請求項２に記載の燃焼装置。
【請求項４】
バーナー及び前記バーナーを設けた内ケースを有するバーナーユニットと、前記バーナーの炎孔部を除き前記バーナーユニットの周囲を囲む外ケースと、前記バーナーの火炎により加熱され、水等の液体と熱交換するフィン付パイプ及び前記フィン付パイプを保持するドラム部を有する熱交換器と、外ケースから前記バーナーの炎孔の上方に向けられ、前記火炎の電気整流特性により火炎を検知するフレームロッドと、前記フレームロッドの端部を保持し、前記外ケースに設けた耐熱電気絶縁性の支持体とを備え、前記支持体に結露水をフレームロッドから離れるように誘導する溝を設けてなる燃焼装置。
【請求項５】
バーナー及び前記バーナーを設けた内ケースを有するバーナーユニットと、前記バーナーの炎孔部を除き前記バーナーユニットの周囲を囲む外ケースと、前記バーナーの火炎により加熱され、水等の液体と熱交換するフィン付パイプ及び前記フィン付パイプを保持するドラム部を有する熱交換器と、外ケースから前記バーナーの炎孔の上方に向けられ、前記火炎の電気整流特性により火炎を検知するフレームロッドと、前記フレームロッドの端部を保持し、前記外ケースに設けた耐熱電気絶縁性の支持体とを備え、前記支持体のフレームロッド近接部分に結露水が入らないようにする凸部を設けてなる燃焼装置。
【請求項６】
バーナー及び前記バーナーを設けた内ケースを有するバーナーユニットと、前記バーナーの炎孔部を除き前記バーナーユニットの周囲を囲む外ケースと、前記バーナーの火炎により加熱され、水等の液体と熱交換するフィン付パイプ及び前記フィン付パイプを保持するドラム部を有する熱交換器と、外ケースから前記バーナーの炎孔の上方に向けられ、前記火炎の電気整流特性により火炎を検知するフレームロッドと、前記フレームロッドの端部を保持し、前記外ケースに設けた耐熱電気絶縁性の支持体とを備え、前記熱交換器のドラム部におけるフレームロッドの上方に結露水を避ける凸段押し、または凹段押しを設けてなる燃焼装置。
【発明の詳細な説明】
【技術分野】
【０００１】
本発明は気液熱交換器を備える燃焼装置に関するものである。
【背景技術】
【０００２】
従来、この種の燃焼装置においては、バーナーより可燃性ガスを噴出させ、前記バーナーの炎孔上部に位置する点火器により点火し、電気式のフレームロッド等によりバーナーの火炎の存在を検知しながら、バーナーで発生した火炎により、熱交換器のパイプ内の液体を加熱する燃焼装置（例えば、特許文献１参照）がある。
【特許文献１】特開平０８−２６１４６０号公報
【発明の開示】
【発明が解決しようとする課題】
【０００３】
上記構成の燃焼装置においては、図５に示すようにバーナー１で発生した火炎により、熱交換器であるフィン付パイプ５内の液体を加熱する際、燃焼状態や熱交換部の温度条件によっては結露水が発生することがあり、その結露水が図示矢印のようにフレームロッド８及びフレームロッド８の端部を支持し、シャーシである外ケース４に固定された耐熱電気絶縁性の碍子９からなる炎検知装置近辺に落下し、フレームロッド８とシャーシーである外ケース４間に電気的なショートサーキット（短絡）を生成し、結果的に火炎の誤検知による失火等の問題が発生していた。
【０００４】
上記従来の課題に鑑み、本発明が解決しようとする課題は、結露水によるフレームロッドの誤検知をなくすようにした燃焼装置を提供することにある。
【課題を解決するための手段】
【０００５】
上記課題を解決するために、本発明の燃焼装置は、フレームロッドの端部を支持した耐熱電気絶縁性の支持体の上方に結露水よけの結露水除去手段を設けたものであり、熱交換の際に生じた結露水が降りかかるのを避けてフレームロッドの短絡を防止し誤検知のないようにしたものである。
【発明の効果】
【０００６】
本発明の燃焼装置は、熱交換の際に生じた結露水が、フレームロッド保持用の支持体の上方に設けられた結露水除去手段により、フレームロッド近辺へ結露水が落下しないようになり、フレームロッドによる火炎の誤検知を防止することができる。
【発明を実施するための最良の形態】
【０００７】
第１の発明は、バーナーと、前記バーナーの火炎により加熱され、水等の液体と熱交換するフィン付パイプ及び前記フィン付パイプを保持するドラム部を有する熱交換器と、前記バーナーの炎孔上方にあって、前記火炎の電気整流特性により火炎を検知するフレームロッドと、前記フレームロッドの端部を保持した耐熱電気絶縁性の支持体とを備え、前記支持体の上方に結露水を避ける結露水除去手段を設けた燃焼装置である。
【０００８】
これにより、熱交換の際に生じた結露水は、フレームロッド保持用の支持体の上方に設けられた結露水除去手段が、フレームロッド近辺へ結露水が落下しないように作用し、フレームロッドの結露水による短絡がなくなり、火炎の誤検知を防止することができる。
【０００９】
第２の発明は、バーナー及び前記バーナーを設けた内ケースを有するバーナーユニットと、前記バーナーの炎孔部を除き前記バーナーユニットの周囲を囲む外ケースと、前記バ
ーナーの火炎により加熱され、水等の液体と熱交換するフィン付パイプ及び前記フィン付パイプを保持するドラム部を有する熱交換器と、外ケースから前記バーナーの炎孔部の上方に向けられ、前記火炎の電気整流特性により火炎を検知するフレームロッドと、前記フレームロッドの端部を保持し、前記外ケースに固定した耐熱電気絶縁性の支持体とを備え、前記支持体の上部に結露水を避ける庇を設けた燃焼装置である。
【００１０】
これにより、フレームロッドの支持体の上方に位置する庇は、熱交換の際に生じた結露水が、フレームロッドの端部及び支持体と前記支持体の固定部間に落下しないように作用し、前記炎の検知不能状態を回避することができる。
【００１１】
第３の発明は、第２の発明における庇を、バーナーを設けた内ケースを上部に向かって折り曲げて形成したものであり、燃焼装置の部品点数が増えないため、コスト、組み立て性の面から有利になる。
【００１２】
第４の発明は、バーナー及び前記バーナーを設けた内ケースを有するバーナーユニットと、前記バーナーの炎孔部を除き前記バーナーユニットの周囲を囲む外ケースと、前記バーナーの火炎により加熱され、水等の液体と熱交換するフィン付パイプ及び前記フィン付パイプを保持するドラム部を有する熱交換器と、外ケースから前記バーナーの炎孔部の上方に向けられ、前記火炎の電気整流特性により火炎を検知するフレームロッドと、前記フレームロッドの端部を保持し、前記外ケースに設けた耐熱電気絶縁性の支持体とを備え、前記支持体に結露水をフレームロッドから離れるように誘導する溝を設けた燃焼装置である。
【００１３】
これにより、支持体の溝は落下してきた結露水等を溝に沿って流すことができ、フレームロッドと外ケースの電気絶縁性を確保することができるとともに、部品の発生もなく、コスト、組み立て性の面から有利になる。
【００１４】
第５の発明は、バーナー及び前記バーナーを設けた内ケースを有するバーナーユニットと、前記バーナーの炎孔部を除き前記バーナーユニットの周囲を囲む外ケースと、前記バーナーの火炎により加熱され、水等の液体と熱交換するフィン付パイプ及び前記フィン付パイプを保持するドラム部を有する熱交換器と、外ケースから前記バーナーの炎孔部の上方に向けられ、前記火炎の電気整流特性により火炎を検知するフレームロッドと、前記フレームロッドの端部を保持し、前記外ケースに設けた耐熱電気絶縁性の支持体とを備え、前記支持体のフレームロッド近接部分に結露水が入らないようにする凸部を設けた燃焼装置である。
【００１５】
これにより、凸部を例えば、支持体におけるフレームロッド近接部分の全周に設けると、支持体自体は結露水にさらされることになるが、フレームロッドまで到達することを防ぐことができるため、フレームロッドと外ケース間の電気絶縁性を確保することができる。
【００１６】
第６の発明は、バーナー及び前記バーナーを設けた内ケースを有するバーナーユニットと、前記バーナーの炎孔部を除き前記バーナーユニットの周囲を囲む外ケースと、前記バーナーの火炎により加熱され、水等の液体と熱交換するフィン付パイプ及び前記フィン付パイプを保持するドラム部を有する熱交換器と、外ケースから前記バーナーの炎孔部の上方に向けられ、前記火炎の電気整流特性により火炎を検知するフレームロッドと、前記フレームロッドの端部を保持し、前記外ケースに設けた耐熱電気絶縁性の支持体とを備え、前記熱交換器のドラム部におけるフレームロッドの上方に結露水を避ける凸段押し、または凹段押しを設けた燃焼装置である。
【００１７】
一般にフィン付パイプで発生した結露水は、熱交換器のドラム部を伝ってフレームロッドに落下することが多いが、本実施の形態によれば凸段押し、または凹段押しが、結露水をフレームロッド外に誘導して支持体、フレームロッドの端部に降りかかるのを防ぎ、フレームロッドと外ケース間の電気絶縁性を確保することができる。
【００１８】
以下、本発明の実施の形態について、図面を参照しながら説明する。なお、この実施の形態によって本発明が限定されるものではない。また、本実施の形態の説明において、同一構成で同一作用効果を奏するところには同一符号を付して重複した説明を行わないものとする。
【００１９】
（実施の形態1）
図１は本発明の実施の形態１における燃焼装置の構成図で、第１及び第２の発明に対応するものである。燃焼バーナー本体であるバーナー１と、バーナー１を連結させる内ケース２とからなるバーナーユニットと、バーナー１の炎孔部（図示せず）を除き周囲を囲む外ケース４と、バーナの炎で水等の液体を加熱するためのフィン付パイプ４とフィン付パイプ４を保持するためのドラム部５からなる熱交換器７と、外ケース４からバーナー１の炎孔部の上部に向けられ、火炎の電気整流特性により火炎の発生を検知するフレームロッド８と、フレームロッド８の端部を保持し、外ケース４に固定した耐熱電気絶縁性の支持体である碍子９からなる。
【００２０】
なお、バーナー１とシャーシーである内ケース２、外ケース４と電気的に繋がっており、フレームロッド８とは碍子９によって電気絶縁されている。
【００２１】
一般的なフレームロッドによる火炎の検知のメカニズムを説明する。フレームロッド８とシャーシー間に交流電圧をかけ、フレームロッド８とバーナー１（＝シャーシー）の間に炎があると、炎の中で起こる化学反応により生じた電子により、炎の中を一定方向の電流が流れることができ、それを検出することにより炎の有り無しを判断できる。そのため、フレームロッド８とシャーシーの間に電気的短絡があると炎の正常な検出ができない。
【００２２】
また、炎の熱による気液熱交換装置においては、液体の温度や燃焼状態によりフィン付パイプ５の表面において結露することがあり、また、結露水により熱交換器内部にスケールが生成する場合がある。この結露水、もしくは熱交換器内部に生じたスケールが結露水を保持した状態でフレームロッド８近辺に落下し、フレームロッド８とシャーシー間に電気的ショートサーキットが出来てしまうと、上記炎の正常な検知ができなくなってしまう。
【００２３】
然るに本実施の形態では結露水除去手段の一手段として、図１に示すように碍子９の上方に庇１０を設けたものである。これにより、熱交換等で発生した結露水が図１に示す矢印のように落下してくると庇１０の上に降りかかり、それから庇１０の周囲から落ちて行き、碍子９及びフレームロッド８とシャーシーの間に直接に結露水等が落下することがなくなる。従って、フレームロッド８とシャーシーの間での短絡はなくなり、点火によるバーナー１の炎孔に発生した炎の検知不能状態を回避することができる。
【００２４】
（実施の形態２）
図２は、本発明の実施の形態２における燃焼装置を示す構成図で、第３の発明に対応するものである。本実施の形態では、結露水除去手段の一手段としての庇１０ａを、図２に示すようにバーナー１の内ケース２を直角に一体に折り曲げて碍子９の上方に向かわせたものである。
【００２５】
これにより、庇１０ａは、実施の形態１で説明したと同じように作用し、結露水による
フレームロッド８とシャーシーの間での短絡はなくなり、点火によるバーナー１の炎孔に発生した炎の検知不能状態を回避することができるのはもちろん、バーナー１の部品点数が増えないため、コスト、組み立て性の面から有利になる。
【００２６】
（実施の形態３）
図３は、本発明の実施の形態３における燃焼装置のフレームロッドの碍子部分を示す斜視図で、第３の発明、第４の発明に対応するものである。本実施の形態では、結露水除去手段の一手段として碍子９の外周側面部分に、結露水をフレームロッド８から避けるように誘導できる溝１１を設けたものである。また、碍子９はフレームロッド８の突き出た全外周部分（下側部分がなくてもよい）に結露水が降りかかるのを避けるため環状の凸部１２を設けている。
【００２７】
これにより、熱交換器７で発生して矢印で示すように落下してきた結露水等は、溝１１に沿って碍子９の外側面に沿って流すことができ、フレームロッド８とシャーシー間の電気絶縁性を確保することができるとともに、部品の発生もなく、コスト、組み立て性の面から有利になる。
【００２８】
また、碍子９のフレームロッド８の突き出た近接部分にも、凸部１２を設けたことにより、碍子９自体は結露水にさらされることになるが、図中矢印で示すように流れてフレームロッド８まで到達することを防ぐことができるため、フレームロッド８とシャーシー間の電気絶縁性を確保することができる。
【００２９】
（実施の形態４）
図４は、本発明の実施の形態４における燃焼装置のフレームロッドの碍子部分を示す構成図で、第６の発明に対応するものである。本実施の形態では、結露水除去手段の一手段として、熱交換器７のドラム部６においてフレームロッド８の碍子９に対応する上方部分に、内側へ向かって凸段押し（または外側へ向かって凹段押し）１３を設けたものである。
【００３０】
これにより、フィン付パイプ５で発生した結露水は、一般的に熱交換器７のドラム部６を伝ってフレームロッド８に落下することが多いが、本実施の形態では凸段押し１３が、フレームロッド８の碍子９に対応する上方部分に存在するので、ドラム部６を伝ってきた結露水は凸段押し１３に案内されて図示矢印のように碍子９、フレームロッド８の突き出た部分を避けて流れ落ちる。従って、フレームロッド８とシャーシー間の電気絶縁性を確保することができる。
【産業上の利用可能性】
【００３１】
以上のように本発明にかかる燃焼装置は、熱交換の際に生じた結露水が、庇、溝、凸部等の作用により、フレームロッド近辺に落下しないようにしたものであり、フレームロッドとシャーシー間の電気的ショートサーキットの生成を防止し、炎の誤検知を防止することができ、結露水の発生する燃焼器具に広く適用できる。
【図面の簡単な説明】
【００３２】
【図１】本発明の実施の形態１における燃焼装置を示す構成図
【図２】本発明の実施の形態２における燃焼装置を示す構成図
【図３】本発明の実施の形態３における燃焼装置のフレームロッドの碍子部分の斜視図
【図４】本発明の実施の形態４における燃焼装置の熱交換器のドラム部部分の斜視図
【図５】従来の燃焼装置を示す構成図
【符号の説明】
【００３３】
１  バーナー
２  内ケース
４  外ケース
５  フィン付パイプ
６  ドラム部
７  熱交換器
８  フレームロッド
９  碍子（支持体）
１０、１０ａ  庇（結露水除去手段）
１１  溝（結露水除去手段）
１２  凸部（結露水除去手段）
１３  凸段押し（結露水除去手段）
【図１】
2007170709.tif 000003
【図２】
2007170709.tif 000004
【図３】
2007170709.tif 000005
【図４】
2007170709.tif 000006
【図５】
2007170709.tif 000007